(57)【特許請求の範囲】
【請求項１】
外部のカプセル型医療装置から送信された無線信号を受信する少なくとも１つのアンテナがフレキシブルシートに２次元状に配置されたフレキシブルアンテナ装置と、
前記アンテナによって受信した無線信号をベースバンド信号に変換する復調回路が形成されたシート状のフレキシブル受信装置本体と、
前記復調回路に電力を供給するシート状のフレキシブル電源装置と、
を備え、
前記フレキシブルアンテナ装置、前記フレキシブル受信装置本体及び前記フレキシブル電源装置は、メッシュ形状であり、少なくとも前記フレキシブルアンテナ装置を表面側に配置し、層構造で電気的に接続することを特徴とするカプセル型医療装置用受信装置。
【請求項２】
前記フレキシブルアンテナ装置、前記フレキシブル受信装置本体及び前記フレキシブル電源装置は、前記フレキシブルアンテナ装置の少なくとも一部を前記フレキシブル受信装置本体及び前記フレキシブル電源装置のうち体表面側に配置された少なくとも一方と同一平面内または前記フレキシブル受信装置本体及び前記フレキシブル電源装置のうち体表面側に配置された少なくとも一方より体表面側に配置し、層構成で電気的に接続することを特徴とする請求項１に記載のカプセル型医療装置用受信装置。
【請求項３】
前記フレキシブルアンテナ装置、前記フレキシブル受信装置本体及び前記フレキシブル電源装置は、前記フレキシブルアンテナ装置を少なくとも前記フレキシブル受信装置本体及び前記フレキシブル電源装置より体表面側に配置し、層構造で電気的に接続することを特徴とする請求項１または２に記載のカプセル型医療装置用受信装置。
【請求項４】
前記フレキシブルアンテナ装置の前記フレキシブル受信装置本体または前記フレキシブル電源装置が配置された面とは異なる面にフレキシブル粘着シートを備えたことを特徴とする請求項１から３の何れか１項に記載のカプセル型医療装置用受信装置。
【請求項５】
前記フレキシブル電源装置から電力を供給され、前記受信した無線信号に関する情報を表示する表示部を有するシート状のフレキシブル表示装置、
をさらに備え、
前記フレキシブル表示装置は、前記フレキシブルアンテナ装置とは別の他の表面として前記フレキシブルアンテナ装置、前記フレキシブル受信装置本体及び前記フレキシブル電源装置と層構造で電気的に接続することを特徴とする請求項１から４の何れか１項に記載のカプセル型医療装置用受信装置。
【請求項６】
前記フレキシブル受信装置本体に信号処理回路、記録回路、整流回路、無線信号生成回路のうちの少なくとも１つを含む、請求項１から５の何れか１項に記載のカプセル型医療装置用受信装置。
【請求項７】
前記フレキシブル受信装置本体に、前記フレキシブル受信装置本体の６０分の１以上の面積をもつ剛体部品を有することが必要な場合、それらを前記フレキシブル受信装置本体の周縁部に配置することを特徴とする請求項１から６の何れか１項に記載のカプセル型医療装置用受信装置。
【請求項８】
前記フレキシブルアンテナ装置を除く部分を軟性樹脂にて覆うことを特徴とする請求項１から７の何れか１項に記載のカプセル型医療装置用受信装置。
【請求項９】
前記軟性樹脂としてエラストマー樹脂を用いることを特徴とする請求項８に記載のカプセル型医療装置用受信装置。
【発明の詳細な説明】
【技術分野】
【０００１】
本発明は、カプセル内視鏡等のカプセル型医療装置から送信された画像データを受信するカプセル型医療装置用受信装置に関し、特に、無線信号として送信された前記画像データを受信するためのアンテナと一体化したカプセル型医療装置用受信装置に関する。
【背景技術】
【０００２】
従来、内視鏡の分野においては、撮像機能と無線通信機能とを備えた、飲込み型のカプセル型内視鏡が提案されている。このカプセル型内視鏡は、観察（検査）のために被検体の口から飲込まれた後、自然排出されるまでの間、体腔内、例えば胃、小腸などの臓器の内部をその蠕動運動に従って移動し、撮像機能によって体腔内を順次撮像する。撮像された画像データは、無線通信機能により外部に設けられたカプセル型医療装置用受信装置に順次送信される。そして、カプセル型医療装置用受信装置は、この送信されてきた画像データを受信し、所定の処理を施した上でメモリに保存する。
【０００３】
図８は、従来のカプセル型医療装置用受信装置を説明するための図である。
図８において、被検体８１の口から飲み込まれたカプセル型内視鏡８２は、被検体８１の体腔内を移動しながら撮像し、その撮像した画像データを無線信号として外部に設けられたカプセル型医療装置用受信装置８３へ無線送信する。カプセル型医療装置用受信装置８３では、カプセル型内視鏡８２から送信されてきた画像データとしての無線信号を、複数のアンテナ８４のうちの何れかで受信し、ケーブル８５及び同軸ケーブル８６を介して受信装置本体８７で各処理及び画像データの保存が実行される。
【０００４】
このようなカプセル型医療装置用受信装置８３が備えるアンテナ８４は、被検体８１の体内に取り込まれるカプセル型内視鏡８２からの微弱な無線信号を受信するために、できる限りカプセル型内視鏡８２の近傍に配置することが望まれるため、被検体８１に装着し易いようにフレキシブル基板で構成されているが、受信装置本体８７を構成する電源であるＬｉイオン二次電池や各種情報を表示するための表示装置であるＬＣＤは柔軟性がない。このため、受信装置本体８７は伸縮の多い被検体８１の体表面には装着することができず、ポシェット等を用いて被検体８１が携帯している。
【０００５】
このように受信機能、信号処理機能および記憶機能を備えたカプセル型医療装置用受信装置を被検体が携帯した状態で使用することにより、被検体は、カプセル型内視鏡を飲み込んだ後、排出されるまでの間に渡って、自由に行動することができる（例えば、特許文献１参照。）。
【０００６】
また、パソコンなどの表示装置として、シート状の表示装置が開示されている（例えば、特許文献２、３参照。）。
【特許文献１】特開２００６−５５４３１号公報
【特許文献２】特開２００５−３１６６７２号公報
【特許文献３】特開２００６−３０７１８号公報
【発明の開示】
【発明が解決しようとする課題】
【０００７】
しかしながら、上述のようなカプセル型医療装置用受信装置８３は、アンテナ８４と受信装置本体８７とが分離し、ケーブル８５及び同軸ケーブル８６で接続された構成となっているために、受信電力が損失するとともに外部ノイズ耐性が低下するという問題点があった。
【０００８】
本発明は、上述のような実状に鑑みたものであり、受信電力の損失を抑え、外部ノイズ耐性を高めたカプセル型医療装置用受信装置を提供することを目的とする。
【課題を解決するための手段】
【０００９】
本発明は、上記課題を解決するため、下記のような構成を採用した。
すなわち、本発明の一態様によれば、本発明のカプセル型医療装置用受信装置は、外部のカプセル型医療装置から送信された無線信号を受信する少なくとも１つのアンテナがフレキシブルシートに２次元状に配置されたフレキシブルアンテナ装置と、前記アンテナによって受信した無線信号をベースバンド信号に変換する復調回路が形成されたシート状のフレキシブル受信装置本体と、前記復調回路に電力を供給するシート状のフレキシブル電源装置とを備え、前記フレキシブルアンテナ装置、前記フレキシブル受信装置本体及び前記フレキシブル電源装置が、メッシュ形状であり、少なくとも前記フレキシブルアンテナ装置を表面側に配置し、層構造で電気的に接続することを特徴とする。
【００１０】
また、本発明のカプセル型医療装置用受信装置は、前記フレキシブルアンテナ装置、前記フレキシブル受信装置本体及び前記フレキシブル電源装置が、前記フレキシブルアンテナ装置の少なくとも一部を前記フレキシブル受信装置本体及び前記フレキシブル電源装置のうち体表面側に配置された少なくとも一方と同一平面内または前記フレキシブル受信装置本体及び前記フレキシブル電源装置のうち体表面側に配置された少なくとも一方より体表面側に配置し、層構成で電気的に接続することが望ましい。
【００１１】
また、本発明のカプセル型医療装置用受信装置は、前記フレキシブルアンテナ装置、前記フレキシブル受信装置本体及び前記フレキシブル電源装置が、前記フレキシブルアンテナ装置を少なくとも前記フレキシブル受信装置本体及び前記フレキシブル電源装置より体表面側に配置し、層構造で電気的に接続することが望ましい。
【００１３】
また、本発明のカプセル型医療装置用受信装置は、前記フレキシブルアンテナ装置の前記フレキシブル受信装置本体または前記フレキシブル電源装置が配置された面とは異なる面にフレキシブル粘着シートを備えたことが望ましい。
【００１４】
また、本発明のカプセル型医療装置用受信装置は、前記フレキシブル電源装置から電力を供給され、前記受信した無線信号に関する情報を表示する表示部を有するシート状のフレキシブル表示装置をさらに備え、前記フレキシブル表示装置が、前記フレキシブルアンテナ装置とは別の他の表面として前記フレキシブルアンテナ装置、前記フレキシブル受信装置本体及び前記フレキシブル電源装置と層構造で電気的に接続することが望ましい。
【００１５】
また、本発明のカプセル型医療装置用受信装置は、前記フレキシブル受信装置本体に信号処理回路、記録回路、整流回路、無線信号生成回路のうちの少なくとも１つを含むことが望ましい。
【００１６】
また、本発明のカプセル型医療装置用受信装置は、前記フレキシブル受信装置本体に、前記フレキシブル受信装置本体の６０分の１以上の面積をもつ剛体部品を有することが必要な場合、それらを前記フレキシブル受信装置本体の周縁部に配置することが望ましい。
【００１７】
また、本発明のカプセル型医療装置用受信装置は、前記フレキシブルアンテナ装置を除く部分を軟性樹脂にて覆うことが望ましい。
【００１８】
また、本発明のカプセル型医療装置用受信装置は、前記軟性樹脂としてエラストマー樹脂を用いることが望ましい。
【発明の効果】
【００１９】
本発明によれば、アンテナと受信装置本体とをともにフレキシブルな構成とすることにより、被検体がカプセル型医療装置用受信装置を装着するに際して、邪魔となることがない。また、外部の画像処理装置、画像表示用ワークステーションなどの他の機器へ、データを非接触で転送することができるので、被検体の自由を確保したまま医療従事者がパーソナルコンピュータ等を用いてリアルタイムに観察することが可能となる。
【００２０】
また、本発明によれば、アンテナと受信装置本体とをともにフレキシブルな構成とすることによりこれらアンテナとフレキシブル受信装置本体とを一体化することができ、アンテナとフレキシブル受信装置本体とを電気的に接続するための配線を短くすることができたので、受信電力の損失を抑え、外部ノイズ耐性を高めたカプセル型医療装置用受信装置を実現することが可能となる。また、フレキシブル電源装置から電力を被接触で供給することができるので、低コストで防水機構を実現することが可能となる。
【００２１】
また、本発明によれば、衝撃吸収力が高い軟性樹脂にて覆われているので、落下などの衝撃への耐性が向上する。
【発明を実施するための最良の形態】
【００２２】
以下、本発明の実施の形態について図面を参照しながら説明する。
図１は、本発明を適用した第１の実施の形態におけるカプセル型医療装置用受信装置の装着例を示す図である。
【００２３】
図１において、被検体８１の口から飲み込まれたカプセル型内視鏡８２は、被検体８１の体腔内を移動しながら撮像し、その撮像した画像データを無線信号として外部に設けられたカプセル型医療装置用受信装置１１へ無線送信する。カプセル型医療装置用受信装置１１は、全体がフレキシブルな素材で構成されているため、被検体８１に直接装着することが可能であり、カプセル型内視鏡８２から送信されてきた画像データとしての無線信号を、図２及び図３を用いて詳述する複数のアンテナ２４１のうちの何れかで受信してフレキシブル受信装置本体２２で各処理及びその処理したデータの保存や、外部の画像処理装置、画像表示用ワークステーションなどの他の機器への転送が実行される。処理したデータを他の機器へ転送する場合、処理したデータの保存は行わなくてもよい。他の機器への転送は、カプセル型内視鏡８２からの無線信号を受信したときに、カプセル型医療装置用受信装置１１を被検体８１に装着した状態で随時行ってもよく、信号の受信が完了した後で行ってもよい。また、転送方法としては有線でも無線（ＷＬＡＮ、ＵＷＢ、Ｂｌｕｅｔｏｏｔｈなど）でもよい。
【００２４】
図２は、本発明を適用した第１の実施の形態におけるカプセル型医療装置用受信装置の側面の断面図である。
図２において、カプセル型医療装置用受信装置１１は、被検体８１が容易に装着することができる大きさである。例えば、縦３００ｍｍ前後、横２００ｍｍ前後、厚さ５ｍｍ前後が望ましい。この縦及び横の大きさは、カプセル型内視鏡８２が被検体８１の体腔内を移動しながら送信する画像データを、アンテナ２４１が受信し易いような配置にするのに適した大きさであり、厚さは、被検体８１が通常の生活を営むのに邪魔にならない程度のものである。
【００２５】
カプセル型医療装置用受信装置１１は、第１層としてのフレキシブル表示装置２１、第２層としてのフレキシブル受信装置本体２２、第３層としてのフレキシブル電源装置２３、及び第４層としてのフレキシブルアンテナ装置２４の４層構造、若しくは第５層としてのフレキシブル粘着シート２５を備えた５層構造となっている。
【００２６】
５層構造のカプセル型医療装置用受信装置１１を被検体８１が装着する際は、フレキシブル粘着シート２５が被検体８１に接触する方の最外層となり、フレキシブル表示装置２１が被検体８１に接触しない方の最外層となるが、フレキシブル受信装置本体２２とフレキシブル電源装置２３とはその位置関係を交換することが可能である。なお、フレキシブルアンテナ装置２４の少なくとも一部がフレキシブル受信装置本体２２およびフレキシブル電源装置２３のうち、被検体８１の体表面に近い体表面側に配置された少なくとも一方と同一平面内に配置されてもよい。このとき、カプセル型医療装置用受信装置１１は３層構造となる場合もある。
【００２７】
また、４層構造のカプセル型医療装置用受信装置１１を被検体８１が装着する際は、フレキシブルアンテナ装置２４が被検体８１に接触する方の最外層となり、５層構造のカプセル型医療装置用受信装置１１と同様、フレキシブル表示装置２１が被検体８１に接触しない方の最外層となる。被検体８１への装着は、フレキシブル粘着シート２５のような粘着シートを用いることなく、被検体８１に接触させることで行うことができる。また、フレキシブル粘着シート２５と同様の粘着シートを４層構造のカプセル型医療装置用受信装置１１のフレキシブルアンテナ装置２４側に貼り付けることにより、５層構造のカプセル型医療装置用受信装置１１と同様に行なうことができる。なお、４層構造のカプセル型医療装置用受信装置１１も５層構造のカプセル型医療装置用受信装置１１と同様、フレキシブル受信装置本体２２とフレキシブル電源装置２３とはその位置関係を交換することが可能である。
【００２８】
図３は、本発明を適用した第１の実施の形態におけるカプセル型医療装置用受信装置の構成図である。
フレキシブル表示装置２１は、いわゆる電子ペーパーと呼ばれる如く、紙のように軽く薄いフレキシブルな表示装置であり、カプセル型医療装置用受信装置１１の外層としての役目も果たすことができる。そして、コンピュータ上で扱われる文字や画像などのデジタル情報を表示部２１１に表示することができる。このようなフレキシブル表示装置２１は、多くは光反射型で紙に近い視認性や取り扱い性を有しており、電気泳動方式や感熱方式など各種の方式のものがある。さらに、カラーフィルタを併用することによるカラー表示を行なうことも可能である。このフレキシブル表示装置２１は、表示部２１１以外の部分をエラストマー樹脂などの軟性樹脂を用いることにより、カプセル型医療装置用受信装置１１の外装としての役割を担うことが可能である。このように、カプセル型医療装置用受信装置１１の外装に軟性樹脂を使用することで衝撃吸収力が高くなり、落下などの衝撃によりカプセル型医療装置用受信装置１１が故障し難くなる。
【００２９】
フレキシブル受信装置本体２２は、厚さが薄く、柔軟性に富み優れた屈曲特性を有している。このフレキシブル受信装置本体２２は、例えば、ポリイミド樹脂やポリエチレンテレフタレート（ＰＥＴ）樹脂等からなる柔軟性を有するベースフィルム上に接着剤を介して銅箔を接着し、銅張積層板とし、その銅張積層板の銅箔をエッチングし、配線となるべきところを残して他の部分を除去することによって、デジタル信号処理回路、メモリ、ＲＦ回路等のパターン回路２２１が形成されている。パターン回路２２１としては、画像データとして処理する際に必須の信号処理回路の他に、カプセル型内視鏡８２からの無線信号の受信が完了した後に、復調信号を外部の画像処理装置、画像表示用ワークステーションなどの他の機器へ転送する際に必須の構成要素である記録回路、非接触給電を行う際に必須の構成要素である整流回路、非接触転送を行う際に必須の構成要素である無線信号生成回路がある。他の機器へデータを非接触で転送することができれば、被検体８１の自由を確保したまま医療従事者がパーソナルコンピュータ等を用いてリアルタイムに観察することが可能となる。また、フレキシブル電源装置２３から電力を被接触で供給することができれば、低コストで防水機構を実現することが可能となる。
【００３０】
これらのデジタル信号処理回路等のパターン回路２２１は、ＣＯＢ（Chip On Board）実装技術等を利用することにより、薄く小さく実装することが可能である。そして、このパターン回路２２１の上に、カバーレイフィルム上に接着剤層を形成した保護シートを、前記接着剤層が内面になるように積層させたのち、接着剤を硬化させることにより構成されている。
【００３１】
また、フレキシブル受信装置本体２２に、前記フレキシブル受信装置本体２２の６０分の１以上の面積をもつ剛体部品を有することが必要な場合、それらを前記フレキシブル受信装置本体２２の周辺部に配置することができる。すなわち、フレキシブル受信装置本体２２が、コンパクトフラッシュ（登録商標）などのある程度の占有面積をもつ大部品を有することが必要となった場合に、このような大部品をフレキシブル受信装置本体２２の中心部に配置するのではなく、周辺部に配置することでカプセル型医療装置用受信装置１１の柔軟性が損なわれ難くなる。また、フレキシブル受信装置本体２２の６０分の１以上の面積としたのは、被検体８１の体表面に密着しやすいためであり、例えば、カプセル型医療装置用受信装置１１の大きさがＡ４だと仮定した場合に、コンパクトフラッシュ（登録商標）のサイズを含むことができる範囲となっている。
【００３２】
フレキシブル電源装置２３は、例えば、活物質を含むフレキシブルな正極シート及び負極シートを電解質シートを挟むように積層して形成されている。このフレキシブル電源装置２３は、正極シート及び負極シートに生じる電位分布を均一にし、かつ正極シート及び負極シートにおける電位差を電流として取出すための正極及び負極集電板が正極シート及び負極シートに積層されている。このように積層された積層体をフレキシブルなパッケージシートで密閉することによりシート状のフレキシブル電源装置２３が形成され、このフレキシブル電源装置２３ではパーケージシートから引出された正極及び負極集電板をフレキシブル電源装置２３の端子として使用することにより所望の電気が得られるようになっている。
【００３３】
フレキシブルアンテナ装置２４は、上述のフレキシブル表示装置２１、フレキシブル受信装置本体２２、若しくはフレキシブル電源装置２３と同様、柔軟性に富んだ材料で形成されたシート形状であり、フレキシブル基板上にアンテナ配線された受電アンテナ基板として設けられたアンテナ２４１を少なくとも１つ、例えば９つ有している。そして、これら９つのアンテナ２４１のうちの何れかでカプセル型内視鏡８２から送信されてきた画像データとしての無線信号を受信し、フレキシブル受信装置本体２２へ送信している。
【００３４】
これらのフレキシブル表示装置２１、フレキシブル受信装置本体２２、フレキシブル電源装置２３、及びフレキシブルアンテナ装置２４は、電気的に接続されている。すなわち、フレキシブル表示装置２１、及びフレキシブル受信装置本体２２は、フレキシブル電源装置２３から供給される電力によって稼動し、フレキシブルアンテナ装置２４上の何れかのアンテナ２４１が受信した画像データをフレキシブル受信装置本体２２上のデジタル信号処理回路等が処理し、例えばその処理した結果をフレキシブル表示装置２１上の表示部２１１が表示する。
【００３５】
なお、フレキシブル受信装置本体２２から外部の画像処理装置、画像表示用ワークステーションなどの他の機器へのデータ転送方法としては、例えばＷＬＡＮ、ＵＷＢ、Ｂｌｕｅｔｏｏｔｈなどの無線通信を用いた非接触転送が望ましい。その際、無線信号生成回路が構成要素として必須となる。また、フレキシブル電源装置２３からの電力の供給は、非接触で充電されることが望ましい。その際、整流回路が構成要素として必須となる。
【００３６】
このような非接触転送、非接触充電を行うことで、フレキシブル受信装置本体２２の外装に信号伝送用および電力供給用の接点を設ける必要がなくなる。これにより、低コストで防水機構を実現できる。また、非接触転送を行うことで、被検体８１の自由を確保したまま医療従事者がパーソナルコンピュータ等でリアルタイム観察ができる。
【００３７】
フレキシブル粘着シート２５は、例えば、所定の剥離力を有し、ベースシートの表裏両面に粘着層が形成された両面粘着シートであり、粘着層が、ジイソシアネートの環状重合体からなるイソシアネート基を有する硬化剤と、活性水素含有基を有する粘着性ポリマーとの反応物からなる粘着シートである。そして、このフレキシブル粘着シート２５は、被検体を観察（検査）する間、フレキシブルアンテナ装置２４と被検体８１とを一時的に接着する役目を果たす。
【００３８】
以上説明してきた第１の実施の形態におけるカプセル型医療装置用受信装置１１は、被検体８１の体表面（例えば、腹部側）に貼り付けて使用され、柔軟性を有しているため、体表面の伸縮に伴ってカプセル型医療装置用受信装置１１の形状が変化し、常に体表面に密着している。
【００３９】
図４は、本発明を適用した第２の実施の形態におけるカプセル型医療装置用受信装置の側面の断面図であり、図５は、本発明を適用した第２の実施の形態におけるフレキシブル受信装置本体を示す図である。
【００４０】
図４において、カプセル型医療装置用受信装置４１は、カプセル型医療装置用受信装置１１と同様、被検体８１が容易に装着することができる大きさである。そして、カプセル型医療装置用受信装置４１は、カプセル型医療装置用受信装置１１と同様、第１層としてのフレキシブル表示装置２１、第３層としてのフレキシブル電源装置２３、第４層としてのフレキシブルアンテナ装置２４、及びフレキシブル受信装置本体２２の代わりに第２層としてのフレキシブル受信装置本体４２の４層構造、若しくは第５層としてのフレキシブル粘着シート２５を備えた５層構造となっている。
【００４１】
フレキシブル受信装置本体４２は、フレキシブル受信装置本体２２と同様、厚さが薄く、柔軟性に富み優れた屈曲特性を有している。
デジタル信号処理回路、メモリ、ＲＦ回路等のパターン回路２２１が全体的に配置されているフレキシブル受信装置本体２２と比較して、フレキシブル受信装置本体４２は、図５に示すように、これらデジタル信号処理回路、メモリ、ＲＦ回路等のパターン回路２２１を回路ユニット４２１として回路実装部４２２に実装し、幾つかのグループに分割した回路ユニット４２１を複数個有している点が相違している。これらの各回路ユニット４２１は、柔軟性を有していないが、複数の導体と柔軟な絶縁体によって構成されたフレキシブルケーブル４２３によって互いに接続されている。
【００４２】
図６は、本発明を適用した第３の実施の形態におけるカプセル型医療装置用受信装置の側面の断面図であり、図７は、本発明を適用した第３の実施の形態におけるカプセル型医療装置用受信装置の構成図である。
【００４３】
図６において、カプセル型医療装置用受信装置６１は、カプセル型医療装置用受信装置１１と同様、被検体６１が容易に装着することができる大きさである。そして、カプセル型医療装置用受信装置６１は、カプセル型医療装置用受信装置１１と同様、第１層としてフレキシブル表示装置７１、第２層としてフレキシブル受信装置本体７２、第３層としてフレキシブル電源装置７３、及び第４層としてフレキシブルアンテナ装置７４の４層構造、若しくは第５層としてフレキシブル粘着シート７５を備えた５層構造となっている。
【００４４】
カプセル型医療装置用受信装置６１は、厚さが薄く、各層をメッシュ状に形成することで、カプセル型医療装置用受信装置１１よりも柔軟性に富み優れた屈曲特性を有し、被検体６１への装着がより容易になるとともに、受信電力の損失を抑え、外部ノイズ耐性を高めることができる。また、第５層としてフレキシブル粘着シート７５を用いた場合は、用いない場合と比べてフレキシブルアンテナ装置７４が被検体６１の体表面に密着し易くなり、受信電力の損失を抑え、外部ノイズ耐性を高めることができる。
【００４５】
以上、本発明を適用した実施の形態を説明してきたが、本発明が適用されるカプセル型医療装置用受信装置は、その機能が実行されるのであれば、上述の実施の形態に限定されることなく、本発明の要旨を逸脱しない範囲内で種々の構成または形状を取ることができる。
【図面の簡単な説明】
【００４６】
【図１】本発明を適用した第１の実施の形態におけるカプセル型医療装置用受信装置の構成図である。
【図２】本発明を適用した第１の実施の形態におけるカプセル型医療装置用受信装置の側面の断面図である。
【図３】本発明を適用した第１の実施の形態におけるカプセル型医療装置用受信装置の装着例を示す図である。
【図４】本発明を適用した第２の実施の形態におけるカプセル型医療装置用受信装置の側面の断面図である。
【図５】本発明を適用した第２の実施の形態におけるフレキシブル受信装置本体を示す図である。
【図６】本発明を適用した第３の実施の形態におけるカプセル型医療装置用受信装置の側面の断面図である。
【図７】本発明を適用した第３の実施の形態におけるカプセル型医療装置用受信装置の構成図である。
【図８】従来のカプセル型医療装置用受信装置を説明するための図である。
【符号の説明】
【００４７】
１１    カプセル型医療装置用受信装置
２１    フレキシブル表示装置
２２    フレキシブル受信装置本体
２３    フレキシブル電源装置
２４    フレキシブルアンテナ装置
２５    フレキシブル粘着シート
４１    カプセル型医療装置用受信装置
４２    フレキシブル受信装置本体
６１    カプセル型医療装置用受信装置
７１    フレキシブル表示装置
７２    フレキシブル受信装置本体
７３    フレキシブル電源装置
７４    フレキシブルアンテナ装置
７５    フレキシブル粘着シート
８１    被検体
８２    カプセル型内視鏡
８３    カプセル型医療装置用受信装置
８４    アンテナ
８５    ケーブル
８６    同軸ケーブル
８７    受信装置本体
２１１  表示部
２２１  パターン回路
２４１  アンテナ
４２１  回路ユニット
４２２  回路実装部
４２３  フレキシブルケーブル
【図８】
0005276883.tif 000002
【図１】
0005276883.tif 000003
【図２】
0005276883.tif 000004
【図３】
0005276883.tif 000005
【図４】
0005276883.tif 000006
【図５】
0005276883.tif 000007
【図６】
0005276883.tif 000008
【図７】
0005276883.tif 000009